(57)【要約】【課題】筐体の軽量化及び材料コストの削減が可能となる組込式加熱調理器を提供する。【解決手段】加熱源２，３，４，５を収容する筐体６は、鍔部２２を調理器用開口の周縁上面に掛止することによりカウンタトップに支持される上枠部１９と、上枠部１９の下部に連結されたカバー部２０と、カバー部２０の前面側を覆う前面パネル２１とを備える。カバー部２０は、底板３０と、底板３０の前縁を除く周縁から起立する周壁３１とを備える。上枠部１９は、加熱源２，３，４，５を夫々支持して荷重を受ける支持部材２６，２７，２８を備える。【選択図】図１
2016041992.tif 000002
【特許請求の範囲】
【請求項１】
加熱源を収容する筐体をシステムキッチンのカウンタトップに形成された調理器用開口に落とし込んで設置する組込式加熱調理器において、
前記筐体は、外側に張り出す鍔部を有して該鍔部を前記調理器用開口の周縁上面に掛止することによりカウンタトップに支持される上枠部と、該上枠部と別体に形成されていて該上枠部の下部に連結されたカバー部と、該カバー部の前面側を覆う前面パネルとを備え、
前記カバー部は、底板と、該底板の前縁を除く周縁から起立する周壁とを備え、
前記上枠部は、前記加熱源を支持して荷重を受ける支持部材を備えることを特徴とする組込式加熱調理器。
【請求項２】
請求項２記載の組込式加熱調理器において、
前記上枠部は、前記カバー部の周壁を介して該カバー部を吊り下げ状態で連結する連結部を備えることを特徴とする組込式加熱調理器。
【請求項３】
請求項１又は２記載の組込式加熱調理器であって、前記前面パネルから露出して押圧操作される操作ボタンを有して前記加熱源の加熱開始・停止及び加熱量の調節を行う操作調節装置を備えるものにおいて、
前記上枠部は、前記操作調節装置を支持して荷重を受ける操作調節装置用支持部材を備えることを特徴とする組込式加熱調理器。
【請求項４】
請求項３記載の組込式加熱調理器において、
前記操作調節装置に上端部が連結されて前記カバー部の底板に向かって延びる延出部材を設け、
前記カバー部の底板に、前記操作ボタンの押圧操作に伴う前記操作調節装置の移動を規制すべく前記延出部材の下端部を係止する係止部を設けたことを特徴とする組込式加熱調理器。
【請求項５】
請求項１〜４の何れか１項記載の組込式加熱調理器において、
前記前面パネルは、前記カバー部の底板の前端部の下面に当接する当接部を備えることを特徴とする組込式加熱調理器。
【請求項６】
請求項１〜５の何れか１項記載の組込式加熱調理器において、
前記加熱源は、その底部に、前記カバー部の底部に形成された掛止孔に掛止して該カバー部の底部の荷重を受ける掛止部を備えることを特徴とする組込式加熱調理器。
【請求項７】
請求項１〜６の何れか１項記載の組込式加熱調理器において、
前記上枠部と前記カバー部とは板金製であり、
前記カバー部は、前記上枠部よりも薄い金属板により構成されていることを特徴とする組込式加熱調理器。
【発明の詳細な説明】
【技術分野】
【０００１】
本発明は、システムキッチンに組み込む組込式加熱調理器に関する。
【背景技術】
【０００２】
この種の組込式加熱調理器として、ドロップイン式ガスコンロを挙げることができる。ドロップイン式ガスコンロは、コンロバーナとグリルとを収容したコンロ筐体をシステムキッチンのカウンタトップに形成されたコンロ用開口に落とし込んで設置する。コンロ筐体は、板金により形成されており、その側壁の上縁に形成された外曲げフランジ（鍔部）をコンロ用開口の縁部に掛止させることによりカウンタトップに支持される。
【０００３】
この種のドロップイン式ガスコンロは、主要な構成部品がコンロ筐体の底板上に積み上げるようにして組み付けられている。即ち、グリルがコンロ筐体の底板上に載置固定され、このグリル上に複数のコンロバーナが載置固定される（例えば、特許文献１参照）。また、コンロバーナ及び前記グリルの点・消火及び火力を調節する複数の操作バルブ装置も脚部材等を介してコンロ筐体の底板上に固定されている。
【先行技術文献】
【特許文献】
【０００４】
【特許文献１】特開平１１−１４１８９３号公報
【発明の概要】
【発明が解決しようとする課題】
【０００５】
ところで、ドロップイン式ガスコンロの筐体は、前述したように、主要な構成部品が筐体の底板上に積み上げるようにして組み付けられているので、構成部品の荷重によって底板が撓みやすい。そこで、このような底板の撓みを防止するために、コンロ筐体を比較的厚手の板金により形成したり、或いは、底板に厚手の金属製補強板を取り付けることにより、底板を補強することが行われている。
【０００６】
しかし、コンロ筐体を比較的厚手の板金により形成した場合や、コンロ筐体の底板に厚手の金属製補強板を取り付けた場合には、コンロ筐体を構成する材料コストが増加するだけでなく、コンロ筐体の重量が増加する。そして、コンロ筐体の重量増加は、ガスコンロ全体の重量に影響し、システムキッチンに組み込む際の作業性が悪化する。
【０００７】
上記の点に鑑み、本発明は、筐体の軽量化及び材料コストの削減が可能となる組込式加熱調理器を提供することを目的とする。
【課題を解決するための手段】
【０００８】
本発明は、加熱源を収容する筐体をシステムキッチンのカウンタトップに形成された調理器用開口に落とし込んで設置する組込式加熱調理器において、前記筐体は、外側に張り出す鍔部を有して該鍔部を前記調理器用開口の周縁上面に掛止することによりカウンタトップに支持される上枠部と、該上枠部と別体に形成されていて該上枠部の下部に連結されたカバー部と、該カバー部の前面側を覆う前面パネルとを備え、前記カバー部は、底板と、該底板の前縁を除く周縁から起立する周壁とを備え、前記上枠部は、前記加熱源を支持して荷重を受ける支持部材を備えることを特徴とする。
【０００９】
本発明は、上記構成によって、加熱源が上枠部に支持される。これにより、加熱源の荷重は上枠部にのみ掛かり、カバー部は、加熱源の荷重に対する強度を有していなくてもよいため、カバー部を厚手の板金等により形成する必要がなく、或いは、カバー部の底板に厚手の金属製補強板を取り付ける必要もない。従って、カバー部を軽量としてコンロ全体の重量増加が防止でき、筐体の材料コストも低減できる。
【００１０】
また、本発明において、前記上枠部は、前記カバー部の周壁を介して該カバー部を吊り下げ状態で連結する連結部を備えることを特徴とする。上枠部は、カバー部を連結するとき、カバー部が備えている周壁を用いて前記連結部により吊り下げるので、連結構造を簡単とすることが可能となる。
【００１１】
また、前記前面パネルから露出して押圧操作される操作ボタンを有して前記加熱源の加熱開始・停止及び加熱量の調節を行う操作調節装置を備えるものにおいては、前記上枠部は、前記操作調節装置を支持して荷重を受ける操作調節装置用支持部材を備えることが好ましい。
【００１２】
これによれば、操作調節装置が操作調節装置用支持部材を介して上枠部に連結されので、カバー部が操作調節装置の荷重を受けることを防止できるだけでなく、操作調節装置と加熱源との相対的な位置精度が向上する。
【００１３】
ところで、操作ボタンの押圧操作を行うと、特に過剰な押圧力が付与された場合、操作ボタンを介して略水平方向の押圧力が操作調節装置全体に付与され、操作調節装置が後退（後方に向かって移動）するおそれがある。
【００１４】
そこで、前記操作調節装置に上端部が連結されて前記カバー部の底板に向かって延びる延出部材を設け、前記カバー部の底板に、前記操作ボタンの押圧操作に伴う前記操作調節装置の移動を規制すべく前記延出部材の下端部を係止する係止部を設けることが好ましい。
【００１５】
これによれば、カバー部の係止部に係止される延出部材を介して操作調節装置の後退が防止される。なお、操作調節装置に連結した延出部材は、操作調節装置の荷重を支えるものではなく、カバー部の底板の少なくとも係止部に接しているだけであるから、カバー部の底板には操作調節装置の荷重が殆どかからない。
【００１６】
また、本発明において、前記前面パネルは、前記カバー部の底板の前端部の下面に当接する当接部を備えることが好ましい。
【００１７】
これによれば、カバー部の底板が当接部を備える前面パネルを介して上枠部に保持され、従来のような補強板等を不要としてコストや重量を殆ど増加させることなく、カバー部の底板の撓みやカバー部の全体の歪みの発生を確実に防止することができる。
【００１８】
また、本発明において、前記加熱源は、その底部に、前記カバー部の底部に形成された掛止孔に掛止して該カバー部の底部の荷重を受ける掛止部を備えることが好ましい。
【００１９】
これによれば、カバー部の底板が掛止部を備える加熱源を介して上枠部に保持され、従来のような補強板等を不要としてコストや重量を殆ど増加させることなく、カバー部の底板の撓みやカバー部の全体の歪みの発生を確実に防止することができる。
【００２０】
また、本発明において、前記上枠部と前記カバー部とが板金製であるとき、前記カバー部は、前記上枠部よりも薄い金属板により構成されていることが好ましい。
【００２１】
加熱源は、上枠部に支持されることにより、加熱源の荷重は上枠部に掛かる。このため、カバー部は、加熱源の荷重に対する強度を有していなくてもよいことは上述した通りである。そこで、カバー部を上枠部よりも薄い金属板で形成することで、一層軽量化することができ、材料コストも削減することができる。
【００２２】
しかも、カバー部が極めて軽量となるため、加熱調理器全体の重心が加熱調理器の上部側に位置するようになる。そして、加熱調理器全体の重心が加熱調理器の上部側に位置することにより、例えば、加熱調理器をシステムキッチンに組み込む際に、作業者が加熱調理器の上部側を把持して加熱調理器を持ち上げたとき、作業者が加熱調理器から受ける重量感を軽減することができ、且つ、作業者は持ち上げた状態の加熱調理器を、小さい力で所望の姿勢に変更することができる。従って、カバー部を上枠部よりも薄い金属板で形成することで、加熱調理器のシステムキッチンへの組み込み作業性も向上させることができる。
【図面の簡単な説明】
【００２３】
【図１】本発明の加熱調理器の実施形態であるドロップイン式ガスコンロを示す斜視図。
【図２】本実施形態のガスコンロの分解斜視図。
【図３】コンロバーナ及びグリルが上枠部に支持された状態を示す側面図。
【図４】本実施形態のガスコンロにおける上枠部の斜視図。
【図５】上枠部への箱状カバー部の連結状態を示す斜視図。
【図６】箱状カバー部の孔部への上枠部の爪部の係止状態を示す断面図。
【図７】前面パネルの下フランジを示す断面図。
【図８】（ａ）はグリル庫の掛止部の正面図、（ｂ）グリル庫の掛止部の断面図。
【図９】（ａ）は延出部材の断面図、（ｂ）は延出部材の爪部の説明的平面図。
【図１０】イグナイタの支持状態を示す断面図。
【発明を実施するための形態】
【００２４】
本発明の一実施形態を図面に基づいて説明する。本実施形態のドロップイン式ガスコンロ１（組込式加熱調理器）は、図示しないが、システムキッチンのカウンタトップに形成されたコンロ用開口（調理器用開口）に落とし込んで設置される。
【００２５】
ドロップイン式ガスコンロ１（以下ガスコンロ１という）は、図１に示すように、複数のコンロバーナ（第１コンロバーナ２、第２コンロバーナ３、第３コンロバーナ４）と、グリル５と、これらを収容して上部が開放されたコンロ筐体６（筐体）とを備えている。各コンロバーナ２，３，４及びグリル５は、本発明における加熱源に相当するものである。
【００２６】
コンロ筐体６の内部に収容（一部がコンロ筐体６の外部に突出しているものも含む）されるものは、各コンロバーナ２，３，４及びグリル５以外に、図２に示す操作バルブ装置７や電池ボックス８等が挙げられる。操作バルブ装置７は、本発明の操作調節装置に相当するものである。
【００２７】
第１コンロバーナ２は、図１に示すように、バーナボディ９と、混合管１０とを備えている。バーナボディ９上には外周に多数の炎孔を形成する図示しないバーナヘッドが取り付けられる。混合管１０は、燃料ガスと一次空気との混合ガスを生成する。混合管１０の上流端には、剛管であるガス通路管１１から燃料ガスが供給される。
【００２８】
グリル５は、図２に示すように、前面が開放されたグリル庫１２と、グリル庫１２の前面を開閉するグリル扉１３と、グリル扉１３の開閉と共にグリル庫１２から出し入れされるグリルトレー１４とを備えている。グリルトレー１４上には図示しない焼網が載置される。グリル庫１２の内部には図示しないグリルバーナが設けられている。
【００２９】
操作バルブ装置７は、各コンロバーナ２，３，４及びグリルバーナに対応して４つ設けられている。そのうちの１つである第１コンロバーナ２用の操作バルブ装置７を示して構成を説明すれば、図３に示すように、左右方向へのスライド操作により火力を調節する操作レバー１５と、斜め下方への押圧操作により点・消火を行う操作ボタン１６と、操作レバー１５や操作ボタン１６の操作に応じて燃料ガスの供給を制御するガス制御機構部１７とを備えている。ガス制御機構部１７には、図示しない安全弁から延びるマニホールド１８から燃料ガスが導入される。ガス制御機構部１７からは、ガス通路管１１が延びている。このガス通路管１１を介して、第１コンロバーナ２に燃料ガスが供給される。第２コンロバーナ３、第３コンロバーナ４、及びグリルバーナに対応する他の操作バルブ装置も同様の構成であるので説明を省略する。
【００３０】
また、図１に示すようにコンロ筐体６の上部は開放されているが、コンロ筐体６の上部は図示しない天板により覆われる。即ち、図示しないが、カウンタトップに落とし込まれた後、解放されているコンロ筐体６の上部に、天板が載置される。天板には、各コンロバーナ２，３，４を露出させるためのバーナ用開口や、グリル５の後方上部に対応する位置には排気用開口が形成されている。また、天板から露出する各コンロバーナ２，３，４の周囲には五徳が載置される。
【００３１】
図１は、システムキッチンに組み込む前の状態のガスコンロ１を示している。天板、五徳、及び各コンロバーナ２，３，４の炎孔を形成するバーナヘッドは、コンロ筐体６をカウンタトップのコンロ用開口に落とし込んだ後に設けられるため、図１には、天板、五徳、及びバーナヘッドを示していない。
【００３２】
コンロ筐体６は、図２に示すように、上枠部１９と、箱状カバー部２０（カバー部）と、前面パネル２１とを備えている。上枠部１９は、図４に示すように、四つの板金製の枠壁部材を一体に連結することにより矩形環状に形成されている。四つの枠壁部材は夫々、上枠部１９の前壁部１９ａ、左右の側壁部１９ｂ，１９ｃ、後壁部１９ｄを構成する。
【００３３】
上枠部１９の上縁には外方に張り出す鍔部２２が形成されており、鍔部２２の外周縁にはパッキン２３が装着されている。鍔部２２は、カウンタトップのコンロ用開口の周縁に掛止される。
【００３４】
上枠部１９の前壁部１９ａには、前方に張り出す張出板２４が一体に設けられている。張出板２４の前端の両側位置には、各操作バルブ装置７を支持する一対の操作バルブ支持板２５（操作調整装置用支持部材）の上端が連結されており、張出板２４の前端の両操作バルブ支持板２５の間にはグリル５を支持するグリル支持フレーム２６（支持部材）の上縁が連結されている。上枠部１９の左右の側壁部１９ｂ，１９ｃの間には、第１コンロバーナ２と第２コンロバーナ３とを支持するための梁部材２７（支持部材）が架け渡して設けられている。梁部材２７の中央部には下方に延びてグリル５を吊設するための吊設部材２８（支持部材）が連結されている。上枠部１９の後壁部１９ｄにはコンロ筐体６の後方上半部分を閉塞する閉塞板２９が連結されている。
【００３５】
図２及び図３に示すように、グリル５は、グリル支持フレーム２６と吊設部材２８とにより上枠部１９に支持された状態となる。第１コンロバーナ２と第２コンロバーナ３とは両側壁部１９ａ，１９ｃに固定された梁部材２７により上枠部１９に支持された状態となる。第３コンロバーナ４はグリル５上に固定され、これによって、第３コンロバーナ４は、グリル５を介して上枠部１９に支持された状態となる。各操作バルブ装置７は、操作バルブ支持板２５により上枠部１９に支持された状態となる。
【００３６】
このように、グリル５、各コンロバーナ２，３，４、及び各操作バルブ装置７は、全て、上枠部１９に支持された状態であるため、これらのものの荷重が箱状カバー部２０に掛かることは殆どない。
【００３７】
箱状カバー部２０は、図２に示すように、底板３０と、底板３０の左右側縁から起立する一対の側板３１（本発明における周壁）と、底板３０の後側縁から起立する後板３２とで構成され、前面と上面と後面状半部とが開放された箱形状に形成されている。
【００３８】
箱状カバー部２０は、上枠部１９とは別部材であり、しかもグリル５、各コンロバーナ２，３，４、及び各操作バルブ装置７の荷重に対する強度が不要である。これにより、箱状カバー部２０は、その材料を自由に選択することができる。本実施形態における箱状カバー部２０は、板金製であって、上枠部１９よりも薄い金属板により極めて軽量に形成されている。
【００３９】
図５に示すように、箱状カバー部２０は、上枠部１９の側壁部１９ｂ，１９ｃに連結され、これによって上枠部１９に支持された状態となっている。なお、図５においては、箱状カバー部２０の形状を明確に示すため、上枠部１９に設けられている操作バルブ支持板２５、グリル支持フレーム２６、梁部材２７、及び閉塞板２９を取り除いた状態で、上枠部１９を示している。
【００４０】
図２に示すように、箱状カバー部２０の側板３１の上端には、内曲げフランジ３３が形成されている。箱状カバー部２０の内曲げフランジ３３には、孔部３４が形成されている。図４に示すように、上枠部１９の側壁部１９ｂ，１９ｃの下端にも内曲げフランジ３５が形成されている。上枠部１９の内曲げフランジ３５には水平方向に延びる爪部３６（連結部）が形成されている。そして、上枠部１９と箱状カバー部２０とは、図６に示すように、上枠部１９の内曲げフランジ３５の下面に箱状カバー部２０の内曲げフランジ３３の上面が重なり、更に、上枠部１９の爪部３６が箱状カバー部２０の孔部３４の内側縁に係止された状態で、互いに連結されている。このように、上枠部１９と箱状カバー部２０とは極めて簡単な連結構造により連結されている。このとき、箱状カバー部２０は上枠部１９よりも薄い金属板により形成されていることにより軽量であり、上枠部１９の爪部３６に掛かる過重負担は小さいので、上枠部１９と箱状カバー部２０との連結状態を十分に維持することができる。
【００４１】
なお、図１に示すように、更に両内曲げフランジ３３，３５を貫通するねじ部材３７により締め付け固定してもよい。これによれば、上枠部１９と箱状カバー部２０とを位置決めを行うことができる。一方、万一ねじ部材３７の締めすぎでねじ部材３７が空転した場合にも、上枠部１９の爪部３６が箱状カバー部２０の孔部３４の内側縁に係止された状態にあるので、上枠部１９と箱状カバー部２０との分離（上枠部１９からの箱状カバー部２０の脱落等）は確実に防止される。
【００４２】
前面パネル２１は板金製であり、図１に示すように、上枠部１９と箱状カバー部２０とを連結した状態で開放された前面を覆う。前面パネル２１は、図２に示すように、上端に張出部３８を備えている。この張出部３８は、図１に示すように、上枠部１９の張出板２４（図３参照）上に重ねられて、上枠部１９の前壁部１９ａの下端にねじ止め連結される。これにより、前面パネル２１も上枠部１９に支持される。
【００４３】
前面パネル２１には、図２に示すように、操作レバー１５及び操作ボタン１６を貫通させて露出させる複数の貫通孔３９ａ，３９ｂが形成されている。また、前面パネル２１には、グリル庫１２の開放された前面に対応する開口部４０が形成されている。更に、前面パネル２１は、電池ボックス８を取り付ける電池ボックス取り付け部４１を備えている。
【００４４】
また、前面パネル２１には、左右端に箱状カバー部２０の側板３１に向かって折り曲げられた一対の横フランジ４２が形成されており、下端に箱状カバー部２０の底板３０に向かって折り曲げられた下フランジ４３（当接部）が形成されている。前面パネル２１の横フランジ４２は、箱状カバー部２０の側板３１の外側面に当接して箱状カバー部２０の側板３１の撓み等の不用意な変形を防止する。前面パネル２１の下フランジ４３は、図７に示すように、箱状カバー部２０の底板３０の前端部の下面に当接し、箱状カバー部２０の底板３０の撓み等の不用意な変形を防止する。このように、箱状カバー部２０は、前面パネル２１が取り付けられることによって比較的薄い金属板で形成されていても、その不用意な変形が防止される。
【００４５】
また、図８（ａ）に示すように、グリル庫１２の底部の前端には、下方に延びる掛止部４４が一体に設けられている。図２に示すように、箱状カバー部２０の底板３０の前端部には、グリル庫１２の掛止部４４を掛止させるための掛止孔４５が形成されている。そして、図８（ｂ）に示すように、グリル庫１２の掛止部４４は、ガスコンロ１の組立状態において、箱状カバー部２０の掛止孔４５に掛止した状態とされている。これによって、箱状カバー部２０は、比較的薄い金属板で形成されていても、底板３０の不用意な撓み変形が防止される。
【００４６】
また、図３及び図９（ａ）に示すように、各操作バルブ装置７には、マニホールド１８を介して延出部材４６が取り付けられている。延出部材４６は、金属材料を折り曲げて形成されている。延出部材４６は、マニホールド１８から箱状カバー部２０の底板３０に向かって延びており、先端部に形成された爪片部４７が箱状カバー部２０の底板３０上に接する。延出部材４６の爪片部４７は、箱状カバー部２０の底板３０に沿って後方に延びている。そして、延出部材４６の爪片部４７は、図９（ａ）に示すように、箱状カバー部２０の底板３０に隆起してその一側縁が切欠き孔とされた隆起係止孔４８（係止部）に挿入される。隆起係止孔４８は、延出部材４６の爪片部４７の大きさに対応している。
【００４７】
更に、図９（ｂ）に平面視して示すように、延出部材４６の爪片部４７の基端部には、爪片部４７よりも幅広の幅広部４９が形成されている。そして、隆起係止孔４８に延出部材４６の爪片部４７が挿入された状態においては、幅広部４９が隆起係止孔４８に当接する。
【００４８】
各操作バルブ装置７は、上枠部１９に連結した操作バルブ支持板２５に支持されているが、操作バルブ支持板２５はその上縁が上枠部１９に連結されて垂下している。このため、使用者が各操作バルブ装置７の操作ボタン１６を押圧操作するときの押圧力が過剰に強い場合には、操作バルブ支持板２５が後方に撓み、操作バルブ装置７全体が後退するおそれがある。
【００４９】
それに対し、本実施形態においては、延出部材４６の幅広部４９が隆起係止孔４８に当接して延出部材４６の後退方向への移動が規制される。これにより、延出部材４６を介して操作バルブ装置７の後退が防止される。なお、延出部材４６は、上枠部１９に支持された各操作バルブ装置７にマニホールド１８を介して取り付けられている。従って、延出部材４６は、操作バルブ装置７やマニホールド１８の荷重を支えてはおらず、箱状カバー部２０の底板３０には操作バルブ装置７やマニホールド１８の荷重が殆どかからない。
【００５０】
更に、図１０に示すように、延出部材４６にイグナイタ５０を支持してもよい。イグナイタ５０は、図１に示すように、コンロバーナ２，３，４のバーナボディ９に隣設されている点火プラグ５１を駆動するものである。イグナイタ５０は、図１０に示すように、延出部材４６に連結された支持ケース５２の天面に支持される。これにより、イグナイタ５０も上枠部１９に支持される。更に、支持ケース５２の下端に爪片５３を形成し、箱状カバー部２０の底板３０には、支持ケース５２の爪片５３に対応する係止孔５４を形成して、係止孔５４に爪片５３を係止させることにより、イグナイタ５０の荷重が箱状カバー部２０の底板３０に掛かることなく支持ケース５２を固定することができる。
【００５１】
また、図１に示すように、本実施形態においては、グリル庫１２の後端部を、箱状カバー部２０の後板３２の上縁に当接させている。グリル庫１２はグリル支持フレーム２６（図２参照）と梁部材２７の吊設部材２８とにより上枠部１９に支持されているので、グリル５の荷重は上枠部１９が受けている。そして、グリル庫１２の後端部を箱状カバー部２０の後板３２の上縁に当接させることによりグリル庫１２の姿勢を安定的に維持することができる。
【００５２】
なお、上記構成においては、グリル５の荷重は箱状カバー部２０の後板３２には殆ど掛からないが、例えば、図示しないが、グリル庫１２の後端部を支持する部材を上枠部１９に設けて、グリル庫１２の後端部が箱状カバー部２０の後板３２の上縁に当接しないようにしてもよい。
【００５３】
以上のように、本実施形態のガスコンロ１は、各コンロバーナ２，３，４、グリル５、及び各操作バルブ装置７といった比較的重量のある主要部品が上枠部１９に支持され、箱状カバー部２０には支持されていないので、従来のような重量のある厚手の金属板である補強板が不要であり、しかも、箱状カバー部２０を薄手の金属板で形成して飛躍的に軽量化することができる。
【００５４】
更に、箱状カバー部２０の軽量化に伴い、ガスコンロ１全体の重心が上部に位置する。これにより、図１に示す状態のガスコンロ１をシステムキッチンに組み込むために、作業者がグリル庫１２上に設けた取っ手部５５を把持してガスコンロ１を持ち上げたときに、作業者がガスコンロ１から受ける重量感を軽減することができ、且つ、作業者は持ち上げた状態のガスコンロ１を、小さい力で所望の姿勢に変更することができる。従って、上記構成のガスコンロ１は、システムキッチンへの組み込み作業性が高い。
【００５５】
また、本実施形態のガスコンロ１は、各コンロバーナ２，３，４、グリル５、及び各操作バルブ装置７といった比較的重量のある主要部品が上枠部１９に支持されているので、万一上枠部１９と箱状カバー部２０とが連結状態で位置ずれしていても、コンロバーナ２，３，４やグリルバーナと各操作バルブ装置７との間の距離や空間形状に殆ど影響せず、ガス通路管１１の取り付けを容易に行うことができる。
【符号の説明】
【００５６】
１…ドロップイン式ガスコンロ、２，３，４…コンロバーナ、５…グリル、６…コンロ筐体、７…操作バルブ装置、１６…操作ボタン、１９…上枠部、２０…箱状カバー部、２１…前面パネル、２２…鍔部、２５…操作バルブ支持部材、２６…グリル支持フレーム（支持部材）、２７…梁部材（支持部材）、２８…吊設部材（支持部材）、３０…底板、３１…側板（周壁）、３６…爪部（連結部）、４３…下フランジ（当接部）、４４…掛止部、４５…掛止孔、４６…延出部材、４８…隆起係止孔（係止部）。
【図１】
2016041992.tif 000003
【図２】
2016041992.tif 000004
【図３】
2016041992.tif 000005
【図４】
2016041992.tif 000006
【図５】
2016041992.tif 000007
【図６】
2016041992.tif 000008
【図７】
2016041992.tif 000009
【図８】
2016041992.tif 000010
【図９】
2016041992.tif 000011
【図１０】
2016041992.tif 000012